(57)【特許請求の範囲】
【請求項１】
片面に発色剤層を有している上紙と片面に顕色剤層を有している下紙とが、端縁同士を重ね合わせて押圧接着して重ね合わせ部分の厚さを減じてなる接合部を介して連接され、
下紙の顕色剤層は、前記接合部側から下紙を前記上紙の発色剤層側に折り合わせたときの前記発色剤層と対向する面側に設けられていることを特徴とする複写用シート。
【請求項２】
片面に発色剤層を有している上紙と一面側に発色剤層を有し他方の面側に顕色剤層を有している中紙と片面に顕色剤層を有している下紙とが、端縁同士を重ね合わせて押圧接着してなる接合部を介して、該接合部側で折って前記三紙片を折り合わせたときに上位から上紙、中紙、下紙の順に重ね合わされるように連接され、
前記中紙の顕色剤層は、該中紙を上紙の発色剤層側に折り合わせたときの上紙の発色剤層と対向する面側に設けられて、かつ、中紙の発色剤層は中紙の他方の片面側に設けられ、
前記下紙の顕色剤層は、該下紙を中紙の発色剤層側に折り合わせたときの中紙の発色剤層と対向する面側に設けられていることを特徴とする複写用シート。
【請求項３】
上記接合部を介して隣り合う二紙片の内、折り合わせ時に紙片自体の接合部側の端縁に直接折り返されるようになる紙片に、折り用ミシン目からなる折り部が設けられ、該折り部が接合部に近接している請求項１または２に記載の複写用シート。
【発明の詳細な説明】
【０００１】
【発明の属する技術分野】
本発明は複写用シートに関するものである。
【０００２】
【発明が解決しようとする課題】
従来から各種の複写帳票においては、上紙と下紙との二紙片を重ね合わせた形態とし、前記上紙の下面側に発色剤層を設けるとともに、下紙の上面側に顕色剤層を設け、上紙側から筆記記入や機械印字した情報が下紙にも同時複写されるようにしたものであった。また、近年において、静粛性や印字処理に優れているノンインパクトプリンタが多く普及してきたことから、このノンインパクトプリンタを用いて複写帳票への情報出力が行えるように、上下に二用紙が重ね合わされた形態とはせずに一用紙の形態で複写伝票を構成し、この一用紙形態の複写伝票をノンインパクトプリンタにセットして、予め記載内容などが判っている情報などをプリンタにて一次記入、即ち、印字し、その一次記入後にこの用紙を折り畳んで複写帳票を得るようにしている。このようにノンインパクトプリンタに対応すべく一用紙形態の複写用シートにして複写帳票の１パーツ化が進んできており、二次記入としての訂正事項や追加事項などの情報が記載できるようにするために、図８に示すように、複写用シートａの同一面上に発色剤層ｂと顕色剤層ｃとを折り合わせ時に対応する位置関係でスポット的に設けて折り合わせるようにしたり（図８（イ））、二次記入となる個所に自己発色剤層ｄを設ける形態（図８（ロ））としていた。
しかしながら、一用紙形態の複写用シートにスポット的に発色剤層と顕色剤層とを設けるようにしたものでは、この複写用シートの製造に際して前記発色剤層と顕色剤層とをスポット的に印刷する工程が増えて、発色剤層をスポット印刷する印刷ユニットと顕色剤層をスポット印刷する印刷ユニットとが必要になり、複写用シートを折り合わせたときの発色剤層と顕色剤層との対応位置関係を確認する必要も生じており、製造に手間を要するものとなっていた。また、自己発色剤層を有する複写用シートでは、この複写用シートの取り扱い時に不用意な力が加わるとその力が加わった部分が発色してしまい、自己発色剤層側に複写記入された情報が見難くなるなどの不都合があって、取り扱いや保管管理に注意を要するものとなっていた。
そこで本発明は上記した事情に鑑み、発色剤層や顕色剤層を別途に複写用シートに設ける手間を無くし、また、複写記入部分の汚損を生じさせ難くすることを課題とし、予め顕色剤層や発色剤層を有している用紙を組み合わせて一用紙形態の複写用シートを得ることを目的とする。
【０００３】
【課題を解決するための手段】
本発明は上記課題を考慮してなされたもので、片面に発色剤層を有している上紙と片面に顕色剤層を有している下紙とが、端縁同士を重ね合わせて押圧接着して重ね合わせ部分の厚さを減じてなる接合部を介して連接され、下紙の顕色剤層は、前記接合部側から下紙を前記上紙の発色剤層側に折り合わせたときの前記発色剤層と対向する面側に設けられていることを特徴とする複写用シートを提供して、上記課題を解消するものである。
また、もう一つの発明は、片面に発色剤層を有している上紙と一面側に発色剤層を有し他方の面側に顕色剤層を有している中紙と片面に顕色剤層を有している下紙とが、端縁同士を重ね合わせて押圧接着してなる接合部を介して、該接合部から前記三紙片を折り合わせたときに上位から上紙、中紙、下紙の順に重ね合わされるように連接され、前記中紙の顕色剤層は、該中紙を上紙の発色剤層側に折り合わせたときの上紙の発色剤層と対向する面側に設けられて、かつ、中紙の発色剤層は中紙の他方の片面側に設けられ、前記下紙の顕色剤層は、該下紙を中紙の発色剤層側に折り合わせたときの中紙の発色剤層と対向する面側に設けられていることを特徴とする複写用シートであり、この複写用シートを提供して、上記課題を解消するものである。
そして、本発明にあっては、上記接合部を介して隣り合う二紙片の内、折り合わせ時に紙片自体の接合部側の端縁に直接折り返されるようになる紙片に、折り用ミシン目からなる折り部が設けられ、該折り部が接合部に近接していることが良好である。
【０００４】
【発明の実施の形態】
つぎに本発明を図１から図７に示す実施の形態に基づいて詳細に説明する。
図中１は本発明に係る複写用シートで、該複写用シート１は上紙２と下紙３とが連接してなるものであり、前記上紙２にあっては上面２ａを情報記載面とするとともに、下面２ｂの全面に発色剤層４が設けられ、さらに、図示はしていないがその下面２ｂには定款や説明文などが設けられている。下紙３にあっては上面３ａが情報記載面として、また、定款や説明文などを設ける面として構成されるとともに、その下面３ｂの全面に顕色剤層５が設けられている。前記上紙２の上面２ａと下紙３の下面３ｂとには同じフォーマットの記載項目を設けるようにしており、折り合わせた状態で発色剤層４と顕色剤層５とを相対させ二次記入として上紙２側に記載した情報が下紙３に複写されるようにしている。前記上紙２としては予め基材の片面に発色剤層４を、例えば発色剤をカプセル化して塗布形成してなる用紙を用いたものであり、また、下紙３としては予め基材の片面に顕色剤層５を、例えば活性白土を塗布して形成した用紙を用いたものである。
上前記上紙２と下紙３とは、図示しない接着剤を介在させた状態で端縁２ｃ，３ｃ同士を重ね合わせ、さらにその端縁２ｃ，３ｃの重なり部分を押圧接着してなる接合部６を介して連接されており、前記接合部６は押圧接着により上紙厚と下紙厚との合計厚よりは小さな厚さのものとして設けられている。そして、前記接合部６において、上紙２の端縁２ｃが下紙３の端縁３ｃの上位に接合されているこの図示の形態のものでは、下紙３の接合部６に沿った位置に近接した状態で折り用ミシン目を穿設してなる折り部７が設定されていて、図２に示されているように、この折り部７から下紙３を上紙２の発色剤層４側に折り合わせたときに、下紙３の折り返し部分の内側に上紙２の端縁２ｃが介在しないように、即ち、折り合わせした時に下紙３自体の接合部６側の端縁３ｃにこの下紙３が直接折り返されるように設けられ、シート１を折り合わせたときに折り部７周りが厚くならないように設けられている。なお、図２においては、折り合わせ時の形態説明を容易にするために、上紙２、下紙３、発色剤層４、顕色剤層５の厚さは表現していない。
【０００５】
複写用シート１では上紙２と下紙３との折り合わせ時に上紙２の顕色剤層４と下紙３の顕色剤層５とが相対すればよいものであることから、図３に示すように接合部６において上紙２の端縁２ｃの上に下紙３の端縁３ｃが重なるように上紙２と下紙３とを連接し、上紙２側に折り部７を設けるようにしてもよい。
【０００６】
図４と図５は本発明の複写用シート１を上紙２と下紙３と中紙８の三紙片からなるものとして示している。この図４に示した実施の例では、上紙２と中紙８と下紙３とを横一連にしてＺ状に折り合わせることで、上位から上紙２、中紙８、下紙３とが重なるようにしたものである。上紙２の上面２ａには情報記載のためのフォーマットが設けられ、その上紙２の下面２ｂの全面に発色剤層４が設けられ、そして、下面２ｂに定款や説明文などが設けられている。中紙８にあっては上面８ａの全面に発色剤層４が設けられ、合わせて定款や説明文などを設けることも可能であり、中紙８の下面８ｂの全面には顕色剤層５が設けられているとともに、上紙２側と同様の記載のためのフォーマットが設けられ、さらに、下紙３の上面３ａの全面に顕色剤層５が設けられているとともに、上紙２や中紙８と同様のフォーマットが設けられ、下面３ｂを定款や説明文などを記載する面としている。そして、この三紙片を重ね合わせて上位の上紙２側に二次記入として記載した情報が下位の中紙８や下紙３にも同時に複写されるようにしているものである。折り部７は上紙２の端縁２ｃの下方に中紙８の端縁８ｃを押圧接着してなる接合部６に近接させる状態にして中紙８に穿設されているとともに、中紙８のもう一方の端縁８ｄの上方に下紙３の端縁３ｃを押圧接着してなる接合部６に近接させる状態にして下紙３に穿設されている。
そして、矢印にて示すようにこの複写用シート１をＺ状に折り合わせることで、上紙２の発色剤層４が中紙８の顕色剤層５に相対し、中紙８の発色剤層４が下紙３の顕色剤層５に相対するようになる（図５参照）。
さらに、図６と図７はＣ折りすることで三紙片の対向面間で発色剤層と顕色剤層とが相対するようにした例を示している。この図５に示した例では、上紙２、下紙３、中紙８とが横一連にして連接され、シート１の一側方に配置した前記中紙８を折り入れるようにＣ折りすることで、上位から上紙２、中紙８、下紙３が重なるようにしたものである。図示するように、上紙２の下面２ｂの全面に発色剤層４が設けられ、下紙３の下面３ｂの全面に顕色剤層５が設けられ、さらにシート１の側方に位置する中紙８にあっては上面８ａの全面に顕色剤層５が設けられているとともに、中紙８の下面８ｂの全面には発色剤層４が設けられている。そして、Ｃ状に重ね合わせしたときに三紙の上方側となる面に同一のフォーマットが設けられ、各紙片のＣ状に折り合わせたときに下方となる面にはそれぞれ定款や説明文などを記載するようにしている。折り部７は上紙２の端縁２ｃの上方に下紙３の端縁３ｃを押圧接着してなる接合部６に近接させる状態にして上紙２に穿設されているとともに、下紙３のもう一方の端縁３ｄの下方に中紙８の端縁８ｃを押圧接着してなる接合部６に近接させる状態にして中紙８に穿設されている。
そして、矢印にて示すようにこの複写用シート１をＣ状に折り合わせることで、上紙２の発色剤層４が中紙８の顕色剤層５に相対し、中紙８の発色剤層４が下紙３の顕色剤層５に相対するようになり（図７参照）、上紙側から二次記入した情報が下位の中紙、下紙に複写されるようにしている。
【０００７】
【発明の効果】
以上説明した発明によれば、発色剤層を有する紙片と顕色剤層を有する紙片とが重ね合わせ部分で厚さを減じて連接された状態となっているため、ノンインパクトプリンタにて情報印字が行えるとともに、複写時には予め発色剤層を有する紙片と予め顕色剤層を有する紙片とを折り合わせるようになるため、全面に亘って情報の複写が行えるようになり、折り合わせ精度を要することがない。さらには発色剤層を有する紙片と顕色剤層を有する紙片とを重ね合わせた状態としない限り複写が行えないため、シートを展開した状態での不用意な発色を防止でき、取り扱いが極めて容易になるなど、実用性に優れた効果を奏するものである。
【図面の簡単な説明】
【図１】本発明に係る複写用シートの二紙片からなる一例を断面で示す説明図である。
【図２】一例における折り合わせ状態を断面で概略的に示す説明図である。
【図３】二紙片からなる他の例を断面で示す説明図である。
【図４】三紙片からなる複写用シートの一例を断面で示す説明図である。
【図５】三紙片からなる複写用シートの折り合わせ状態を断面で概略的に示す説明図である。
【図６】三紙片からなる複写用シートの他の例を断面で示す説明図である。
【図７】他の例の折り合わせ状態を断面で概略的に示す説明図である。
【図８】従来例を示す説明図である。
【符号の説明】
１…複写用シート
２…上紙  ２ｃ…端縁
３…下紙  ３ｃ，３ｄ…端縁
４…発色剤層
５…顕色剤層
６…接合部
７…折り部
８…中紙  ８ｃ，８ｄ…端縁
【図１】
0003740631.tif 000002
【図２】
0003740631.tif 000003
【図３】
0003740631.tif 000004
【図４】
0003740631.tif 000005
【図５】
0003740631.tif 000006
【図６】
0003740631.tif 000007
【図７】
0003740631.tif 000008
【図８】
0003740631.tif 000009